(57)【要約】【課題】  例えば、地震で停電が発生し、その後の復電時に火災が発生したことがあった。【解決手段】  電気器具等に電源を供給するためのタップであり、入力と出力の間にラッチ式継電器の接点を直列に接続し、始動スイッチを一時的にＯＮ操作することによりラッチ式継電器の接点が閉になり出力側に接続されている電気器具に電源を供給するものであり、停電が発生した場合、コンデンサに蓄えた電荷をラッチ継電器のコイルに流す事で接点を開にし、復電しても、始動スイッチを一時的にＯＮにするまで出力に接続されている電気器具に電源を供給しないことを特徴とする停電後の復電時に、自動的に直ちに電源を供給することが無いタップ。【選択図】図１
2019046771.tif 000002
【特許請求の範囲】
【請求項１】
接点を持つ１巻線式ラッチ継電器を有し、１巻線式ラッチ継電器の接点を閉にするための始動スイッチ、１巻線式ラッチ継電器を開にするための停電回路を備え、入力に電源を供給後、また、停電後に復電した時は直ちに負荷に電源を供給せず、始動スイッチを一時的にＯＮ操作後に出力側に電源を供給することを特徴とした、停電後の復電時に、自動的に直ちに電源を供給することが無いタップ。
【請求項２】
接点を持つ２巻線式ラッチ継電器を有し、２巻線式ラッチ継電器の接点を閉にするための始動スイッチ、２巻線式ラッチ継電器を開にするための停電回路を備え、入力に電源を供給後、また、停電後に復電した時は直ちに負荷に電源を供給せず、始動スイッチを一時的にＯＮ操作後に出力側に電源を供給することを特徴とした、請求項１に記載の停電後の復電時に、自動的に直ちに電源を供給することが無いタップ。
【請求項３】
ＳＳＲ等の半導体スイッチを有し、半導体スイッチを閉にするためのトリガー回路を半導体スイッチの出力側に接続することで、入力に電源を供給後、また、停電後に復電した時は直ちに負荷に電源を供給せず、始動スイッチを一時的にＯＮ操作後に出力側に電源を供給することを特徴とした、請求項１および２に記載の停電後の復電時に、自動的に直ちに電源を供給することが無いタップ。
【発明の詳細な説明】
【技術分野】
【０００１】  本発明は、電動工具や暖房器具などの電気器具に電源を供給するためのタップで、負荷と電源の間に接続して使用し、停電の際、復電と同時に自動で電源を供給することをしない事によって、うっかりスイッチＯＮのままにしておいた電動工具が、復電と共にひとりでに動き出して事故につながったりする危険を予防する回路を有するタップに関するものである。
【背景技術】
【０００２】電動ドリルやグラインダーなど、電動で刃先を回転させて使用する電動工具などの使用中に停電が発生した場合、作業者は電動工具の電源スイッチをＯＮにしたままで放置する事が考えられるが、復電と同時に工具が動き出し、作業者や器物が損傷する可能性があり危険である。このような危険を回避するため電源側が停電した場合に、復電直後の所定時間内に電路の電流を検出した場合、電路を遮断するようにした装置も知られている（特許文献１参照）。
【先行技術文献】
【０００３】
【特許文献１】特開２００６−１５６１０３号公報
【発明の概要】
【発明が解決しようとする課題】
【０００４】従来の回路は次のような欠点があった。
１    電気器具のプラグをコンセントに差し込むと直ちに電源が供給されるため、グライ    ンダーなど、回転機器のスイッチをＯＮの状態で差し込むと危険である。
２  地震などで停電が発生した場合、使用中である電気器具のスイッチをＯＮ状態のまま    避難することが考えられる。地震による停電後の復電時に火災が発生したことがあっ    た。
３    特許文献１の場合は、タイマーや電流検出装置等構成が複雑である。
【課題を解決するための手段】
【０００５】  １巻線式ラッチ型継電器を使用した手段を説明する。
電源Ｒと電源Ｔからなる入力プラグの一方である電源Ｒと出力コンセントの片側との間に、１巻線式ラッチ型継電器の接点を直列に接続してある。入力プラグの他方である電源Ｔは出力コンセントの他方に接続されている。また、電源Ｒから、交流電源を正および負の直流電源に変換するための２本の整流ダイオードのアノードおよびカソードに接続され、整流ダイオードの反対側であるところの、カソードおよびアノードと電源Ｔの間にコンデンサがそれぞれ接続されている。このため、それぞれのコンデンサには電源Ｔを基準として正および負の電圧が蓄電され、直流の正電源および負電源として使用する。
１巻線式ラッチ継電器のコイルの一方は電源Ｔに接続され、コイルの反対側は始動スイッチを介して直流の正電源に、さらに、停電検出回路の出力を介して直流の負電源に接続されている。
次に、２巻線式ラッチ型継電器を使用した手段を説明する。
電源Ｒと電源Ｔからなる入力プラグの一方である電源Ｒと出力コンセントの片側との間に、２巻線式ラッチ型継電器の接点を直列に接続してある。入力プラグの他方である電源  Ｔは出力コンセントの他方に接続されている。また、電源Ｒから、交流電源を正の直流  電源に変換するための整流ダイオードのアノードに接続され、整流ダイオードの反対側であるところの、カソードと電源Ｔの間にコンデンサが接続されている。このため、コンデンサには電源Ｔを基準として正の電圧が蓄電され、直流の正電源として使用する。
２巻線式ラッチ継電器のセットコイルおよびリセットコイルの片側は整流ダイオードのカソード側に接続されている。セットコイルの他方は始動スイッチを介して電源Ｔに接続されている。リセットコイルの他方は停電検出回路の出力を介して電源Ｔに接続されている。
次に、半導体スイッチ（以後ＳＳＲと記載）を使用した手段を説明する。
電源Ｒと電源Ｔからなる入力プラグの一方である電源Ｒと出力コンセントの片側との間に、ＳＳＲの主回路が直列に接続されている。入力プラグの他方である電源Ｔは出力コンセントの他方に接続されている。また、ＳＳＲの主回路のコンセント側にＳＳＲを閉にするためのトリガ回路がある。トリガ回路の出力はＳＳＲのゲート端子に接続されＳＳＲを閉にする。また、ＳＳＲ主回路と並列に始動スイッチが接続されている。
入力プラグに電源を供給しただけでは、ＳＳＲは開状態でありトリガ回路電源が供給されないためＳＳＲは開状態を維持しているが、始動スイッチを一時的にＯＮする事によりトリガ回路に電源が一時的に供給されるためＳＳＲは閉になる。その後はＳＳＲを介してトリガ電源が供給され、閉状態が維持される。
【発明の効果】
【０００６】（イ）グラインダーなど、砥石や刃物を回転させる電気機器の使用中に停電が発生した場      合、回転物は停止するため、機器のスイッチがＯＮ状態のままその場を離れる可能      性があるが、復電と同時に電気器具が運転する為危険である。本発明回路を使用す      れば復電後、人手などにより始動スイッチをＯＮ操作するまで電気器具に電源を供      給しないため安全である。
（ロ）過去に、地震により停電後の復電時に火災が発生したことがあった。本発明回路を      使用した場合、復電時に人手などにより、始動スイッチを押すまで本発明品に接続      されている電器器具には電源が供給されないので火災発生のリスクが減少する。
（ハ）外出の時などは、分電箱のブレーカーを一旦ＯＦＦにすれば、本発明品に接続され      ている器具は全て停止するため確認が簡単である。
【図面の簡単な説明】
【０００７】
【図１】  本発明において１巻線式ラッチ型継電器を使用した実施例を示す接続図
【図２】  本発明において２巻線式ラッチ型継電器を使用した別の実施例を示す接続図
【図３】  本発明においてＳＳＲを使用したさらに別の実施例を示すブロック図
【図４】  本発明の実施例を示す外観図
【図５】  本発明の他の実施例を示した外観図  図である。
【発明を実施するための形態】
【０００８】    １巻線式ラッチ型継電器を使用した形態を説明する。
電源Ｒと電源Ｔからなる入力プラグ（１）の一方である電源Ｒと出力コンセント（６）の片側との間に、１巻線式ラッチ型継電器の接点（２）を直列に接続してある。入力プラグの他方である電源Ｔは出力コンセント（６）の他方に接続されている。また、電源Ｒから、交流電源を正および負の直流電源に変換するための２本の整流ダイオード（８ａおよび８ｂ）のアノードおよびカソードに接続され、整流ダイオード（８ａおよび８ｂ）の反対側であるところの、カソードおよびアノードと電源Ｔの間にコンデンサ（９ａおよび９ｂ）がそれぞれ接続されている。このため、それぞれのコンデンサ（９ａおよび９ｂ）には電源Ｔを基準として正および負の電圧が蓄電され、直流の正電源および負電源として使用する。１巻線式ラッチ継電器のコイル（３）の一方は電源Ｔに接続され、コイル（３）の反対側は始動スイッチ（７）を介して直流の正電源に、さらに、停電検出回路（１０）  の出力を介して直流の負電源に接続されている。
次に、２巻線式ラッチ型継電器を使用した形態を説明する。
電源Ｒと電源Ｔからなる入力プラグ（１）の一方である電源Ｒと出力コンセント（６）の片側との間に、２巻線式ラッチ型継電器の接点（２）を直列に接続してある。入力プラグ他方である電源Ｔは出力コンセント（６）の他方に接続されている。また、電源Ｒから、交流電源を正の直流電源に変換するための整流ダイオード（８）のアノードに接続され、整流ダイオード（８）の反対側であるところの、カソードと電源Ｔの間にコンデンサ（９）が接続されている。このため、コンデンサ（９）には電源Ｔを基準として正の電圧が蓄電され、直流の正電源として使用する。
２巻線式ラッチ継電器のセットコイル（４）およびリセットコイル（５）の片側は整流ダイオード（８）のカソード側に接続されている。セットコイル（４）の他方は始動スイッチ（７）を介して電源Ｔに接続されている。リセットコイル（５）の他方は停電検出回路（１０）の出力を介して電源Ｔに接続されている。
次に、半導体スイッチ（１０）（以後ＳＳＲと記載）を使用した形態を説明する。
電源Ｒと電源Ｔからなる入力プラグ（１）の一方である電源Ｒと出力コンセント（６）の片側との間に、ＳＳＲ（１１）の主回路が直列に接続されている。入力プラグの他方である電源Ｔは出力コンセント（６）の他方に接続されている。また、ＳＳＲ（１１）の主回路のコンセント側にＳＳＲ（１１）を閉にするためのトリガ回路（１２）がある。トリガ回路（１２）の出力はＳＳＲ（１１）のゲート端子に接続されＳＳＲ（１１）を閉にする。また、ＳＳＲ（１１）主回路と並列に始動スイッチ（７）が接続されている。
入力プラグ（１）に電源を供給しただけでは、ＳＳＲ（１１）は開状態であり、トリガ回路（１２）に電源が供給されないためＳＳＲ（１１）は開状態を維持している。始動スイッチ（７）を一時的にＯＮする事によりトリガ回路（１２）に電源が一時的に供給されるためＳＳＲ（１１）は閉になる。その後はＳＳＲ（１１）を介してトリガ回路（１２）に電源が供給される
【符号の説明】
【００１０】１    入力プラグ
２    ラッチ式継電器の接点
３    １巻線式ラッチ型継電器のコイル
４    ２巻線式ラッチ型継電器のセット用コイル
５    ２巻線式ラッチ型継電器のリセット用コイル
６    出力コンセント
７    始動スイッチ
８    整流ダイオード
８ａ  整流ダイオード
８ｂ  整流ダイオード
９    コンデンサ
９ａ  コンデンサ
９ｂ  コンデンサ
１０  停電検出回路
１１  ＳＳＲ
１２  トリガ回路
【図１】
2019046771.tif 000003
【図２】
2019046771.tif 000004
【図３】
2019046771.tif 000005
【図４】
2019046771.tif 000006
【図５】
2019046771.tif 000007